(57)【特許請求の範囲】
【請求項１】
第１のコネクタハウジングと、
前記第１のコネクタハウジングが嵌合接続される先端部を有すると共に、コネクタ取付板のコネクタ取付孔を挿通した状態で前記コネクタ取付板に取り付けられる第２のコネクタハウジングと、
前記第１のコネクタハウジングに回動可能に装備されて回動操作によって前記第１のコネクタハウジングを第２のコネクタハウジングに嵌合させるレバーと、
前記第１のコネクタハウジングに装着されて第１のコネクタハウジング内部への防水性を確保するグロメットと、
を備えるレバー式コネクタであって、
前記レバーは、前記第１のコネクタハウジングに回動可能に結合されて回動により第１のコネクタハウジングを第２のコネクタハウジング内に引き込むレバー本体と、該レバー本体の後端から延出して前記レバー本体を回動させる際の操作部となる操作板部と、を備え、回動操作によってコネクタハウジング相互の嵌合が完了した状態では、前記操作板部が前記コネクタ取付板と平行で前記第１のコネクタハウジングの外周囲に鍔状に張り出した状態で前記コネクタ取付板側に移動し、
前記グロメットは、前記操作板部の外周縁に嵌合する溝部を有したリップ部により前記操作板部に結合される操作板被覆部と、該操作板被覆部に一体形成されて前記第１のコネクタハウジングに接続されるケーブルを収容する管状部と、を備え、前記レバーの回動操作によってコネクタハウジング相互の嵌合が完了した状態では、前記操作板部の前記コネクタ取付板側への移動によって前記リップ部が前記コネクタ取付孔の周縁に密着して第１のコネクタハウジング内部への防水性を確保する
ことを特徴とするレバー式コネクタ。
【請求項２】
前記第２のコネクタハウジングは、前記第１のコネクタハウジングと未接続の状態で前記先端部を前記コネクタ取付孔に挿通させた際に、前記コネクタ取付板への仮止めを果たすパネル固定片を備え、
前記第１のコネクタハウジングは、前記第２のコネクタハウジングへの嵌合途中では前記パネル固定片の撓み変位を規制して、前記第２のコネクタハウジングが前記パネル固定片によって前記コネクタ取付板に固定された状態を維持すると共に、前記第２のコネクタハウジングへの嵌合が完了した状態では前記パネル固定片の撓み変位の規制を解除して、コネクタ取付板に対する前記第２のコネクタハウジングの変位を許容する仮止め維持手段を備え、
前記レバーの操作板部は、前記第２のコネクタハウジングへの嵌合が完了した状態で前記操作板部が前記コネクタ取付板に押し付けられたときに、コネクタ取付板のハウジング固定部に係合して、前記リップ部が前記コネクタ取付孔の周縁に密着した状態に第１のコネクタハウジングをコネクタ取付板に固定する本固定手段を備える
ことを特徴とする請求項１に記載のレバー式コネクタ。
【請求項３】
前記第１のコネクタハウジングには、前記レバーを回動可能に支持するレバー支持軸が、前記第１のコネクタハウジングの幅寸法の中心を通る対称軸線上に設けられ、
前記レバーは、前記レバー支持軸に支持され、互いに逆方向への回動により第１のコネクタハウジングを第２のコネクタハウジング内に引き込む一対のレバー半体を備えると共に、前記一対のレバー半体が同一構造であることを特徴とする請求項１又は２に記載のレバー式コネクタ。
【発明の詳細な説明】
【技術分野】
【０００１】
本発明は、第１のコネクタハウジングの嵌合相手となる第２のコネクタハウジングが待ち受けコネクタとしてコネクタ取付板に取り付けられると共に、前記第１のコネクタハウジングには防水用のグロメットが装備され、更に、第１のコネクタハウジングに装備されたレバーの回動操作によって第１のコネクタハウジングと第２のコネクタハウジングとの嵌合接続が達成されるレバー式コネクタに関する。
【背景技術】
【０００２】
図８は、レバー式コネクタの従来例を示したものである。
ここに示したレバー式コネクタ１００は、下記特許文献１に開示されたもので、例えば、車両のドアパネル等のコネクタ取付板（パネル）１３０の内外の電線の接続に使用される。
【０００３】
このレバー式コネクタ１００は、第１のコネクタハウジング１１０の嵌合相手となる第２のコネクタハウジング１２０が待ち受けコネクタとしてコネクタ取付板１３０に取り付けられると共に、第１のコネクタハウジング１１０には防水用のグロメット１４０が装備される。更に、このレバー式コネクタ１００の場合、第１のコネクタハウジング１１０に装備されたレバー１５０の回動操作によって第１のコネクタハウジング１１０と第２のコネクタハウジング１２０との嵌合接続が達成される。
【０００４】
第１のコネクタハウジング１１０は、ハウジング本体１１２と、グロメット１４０を介して前記ハウジング本体１１２を収容保持した外部ケース１１３と、を備えている。
【０００５】
ハウジング本体１１２は、第１の接続端子を収容するための複数の端子収容孔１１１を有している。このハウジング本体１１２は、外部ケース１１３にグロメット１４０を組み付けた後、グロメット１４０の内側に圧入される。
【０００６】
第２のコネクタハウジング１２０は、ハウジング本体１２２と、該ハウジング本体１２２の前端に延出形成された筒状のフード部１２３と、フード部１２３に形成されたパネル係合部１２４と、を備える。
【０００７】
ハウジング本体１２２は、第１のコネクタハウジング１１０内の第１の接続端子に嵌合させる第２の接続端子を収容するための複数の端子収容孔１２１を有している。
【０００８】
フード部１２３は、第１のコネクタハウジング１１０のハウジング本体１１２を保持している部分が嵌合する部位である。フード部１２３の内側面には、レバー１５０に係合可能なガイド軸１２７が突設されている。
【０００９】
パネル係合部１２４は、コネクタ取付板１３０に形成されたコネクタ取付孔１３１の周縁部が係合する溝状で、第２のコネクタハウジング１２０をコネクタ取付板１３０に固定する。
【００１０】
パネル係合部１２４には、ガタつきを防止するために、弾性リング１３３や、抜け止め用バネ１３４が装着される。
【００１１】
グロメット１４０は、外部ケース１１３の内周面に密着状態に装着されてハウジング本体１１２が圧入される本体収容部１４１と、外部ケース１１３から外部に延出した管状部１４２と、を備える。管状部１４２は、第１のコネクタハウジング１１０に接続されるケーブルを収容する。
【００１２】
レバー１５０は、外部ケース１１３の外側面に突設されたレバー支持軸１１６に回動可能に支持されている。このレバー１５０には、第２のコネクタハウジング１２０のガイド軸１２７が係合するガイド溝１５７が、切り欠き形成されている。レバー１５０は、回動操作した際、ガイド溝１５７に係合しているガイド軸１２７をガイド溝１５７の終端側に引き込むことで、第１のコネクタハウジング１１０を第２のコネクタハウジング１２０内に引き込ませる。
【００１３】
レバー１５０の回動操作によって、第１のコネクタハウジング１１０が第２のコネクタハウジング１２０内に引き込まれることで、第１のコネクタハウジング１１０と第２のコネクタハウジング１２０とが嵌合接続された状態になる。
【先行技術文献】
【特許文献】
【００１４】
【特許文献１】特開２００５−１６６５７５号公報
【発明の概要】
【発明が解決しようとする課題】
【００１５】
ところが、上記特許文献１のレバー式コネクタ１００では、第１のコネクタハウジング１１０内に防水用のグロメット１４０が装着される。そのため、第１のコネクタハウジング１１０や第２のコネクタハウジング１２０は、グロメット１４０を収容する分、大きな容積が必要となり、グロメット１４０の装着のためにコネクタハウジングが大型化するという問題が生じた。
【００１６】
また、上記特許文献１のレバー式コネクタ１００では、グロメット１４０は、本体収容部１４１の外周面が外部ケース１１３の内面に密着するように、丁寧に外部ケース１１３に装着しなければならない。そのため、グロメット１４０の装着に手間がかかり、組立性が悪いという問題があった。
【００１７】
更に、上記特許文献１のレバー式コネクタ１００の場合、第１のコネクタハウジング１１０と第２のコネクタハウジング１２０との嵌合接続が完了する前と後とで、外観に大きな変化が発生しない。そのため、第１のコネクタハウジング１１０と第２のコネクタハウジング１２０との嵌合接続が正常に完了したか否かを、外観等から簡単に判別することができないという問題もあった。
【００１８】
そこで、本発明の目的は、上記課題を解消することに係り、グロメットの装着のためにコネクタハウジングが大型化することがなく、しかもグロメットの装着が容易なレバー式コネクタを提供すること、更には、コネクタハウジング相互の嵌合接続が正常に完了したか否かを外観目視により簡単に判別することができるレバー式コネクタを提供することにある。
【課題を解決するための手段】
【００１９】
本発明の前述した目的は、下記の構成により達成される。
（１）第１のコネクタハウジングと、
前記第１のコネクタハウジングが嵌合接続される先端部を有すると共に、コネクタ取付板のコネクタ取付孔を挿通した状態で前記コネクタ取付板に取り付けられる第２のコネクタハウジングと、
前記第１のコネクタハウジングに回動可能に装備されて回動操作によって前記第１のコネクタハウジングを第２のコネクタハウジングに嵌合させるレバーと、
前記第１のコネクタハウジングに装着されて第１のコネクタハウジング内部への防水性を確保するグロメットと、
を備えるレバー式コネクタであって、
前記レバーは、前記第１のコネクタハウジングに回動可能に結合されて回動により第１のコネクタハウジングを第２のコネクタハウジング内に引き込むレバー本体と、該レバー本体の後端から延出して前記レバー本体を回動させる際の操作部となる操作板部と、を備え、回動操作によってコネクタハウジング相互の嵌合が完了した状態では、前記操作板部が前記コネクタ取付板と平行で前記第１のコネクタハウジングの外周囲に鍔状に張り出した状態で前記コネクタ取付板側に移動し、
前記グロメットは、前記操作板部の外周縁に嵌合する溝部を有したリップ部により前記操作板部に結合される操作板被覆部と、該操作板被覆部に一体形成されて前記第１のコネクタハウジングに接続されるケーブルを収容する管状部と、を備え、前記レバーの回動操作によってコネクタハウジング相互の嵌合が完了した状態では、前記操作板部の前記コネクタ取付板側への移動によって前記リップ部が前記コネクタ取付孔の周縁に密着して第１のコネクタハウジング内部への防水性を確保する
ことを特徴とするレバー式コネクタ。
【００２０】
（２）前記第２のコネクタハウジングは、前記第１のコネクタハウジングと未接続の状態で前記先端部を前記コネクタ取付孔に挿通させた際に、前記コネクタ取付板への仮止めを果たすパネル固定片を備え、
前記第１のコネクタハウジングは、前記第２のコネクタハウジングへの嵌合途中では前記パネル固定片の撓み変位を規制して、前記第２のコネクタハウジングが前記パネル固定片によって前記コネクタ取付板に固定された状態を維持すると共に、前記第２のコネクタハウジングへの嵌合が完了した状態では前記パネル固定片の撓み変位の規制を解除して、コネクタ取付板に対する前記第２のコネクタハウジングの変位を許容する仮止め維持手段を備え、
前記レバーの操作板部は、前記第２のコネクタハウジングへの嵌合が完了した状態で前記操作板部が前記コネクタ取付板に押し付けられたときに、コネクタ取付板のハウジング固定部に係合して、前記リップ部が前記コネクタ取付孔の周縁に密着した状態に第１のコネクタハウジングをコネクタ取付板に固定する本固定手段を備える
ことを特徴とする上記（１）に記載のレバー式コネクタ。
【００２１】
（３）前記第１のコネクタハウジングには、前記レバーを回動可能に支持するレバー支持軸が、前記第１のコネクタハウジングの幅寸法の中心を通る対称軸線上に設けられ、
前記レバーは、前記レバー支持軸に支持され、互いに逆方向への回動により第１のコネクタハウジングを第２のコネクタハウジング内に引き込む一対のレバー半体を備えると共に、前記一対のレバー半体が同一構造であることを特徴とする上記（１）又は（２）に記載のレバー式コネクタ。
【００２２】
上記（１）の構成によれば、第１のコネクタハウジング内部への防水性を確保するグロメットは、第１のコネクタハウジングの内部に装着される部分は無く、第１のコネクタハウジングの外部に露出するレバーの操作板部に取り付けられる。そのため、第１のコネクタハウジング内にグロメットを収容する容積を確保する必要がない。従って、グロメットの装着のためにコネクタハウジングが大型化することがない。
【００２３】
また、上記（１）の構成によれば、グロメットは第１のコネクタハウジングの外部に露出するレバーの操作板部に取り付けられるため、グロメットの一部を第１のコネクタハウジング内に嵌合させていた従来の場合と比較すると、グロメットの装着が容易になり、組立性を向上させることができる。
【００２４】
上記（２）の構成によれば、パネル固定片によりコネクタ取付板に仮止めした第２のコネクタハウジングに第１のコネクタハウジングを嵌合させた場合、嵌合途中では、第１のコネクタハウジングの仮止め維持手段がパネル固定片の撓み変位を規制して、第２のコネクタハウジングはパネル固定片によってコネクタ取付板に固定された状態が維持される。そして、第１のコネクタハウジングの第２のコネクタハウジングへの嵌合が完了した状態になると、仮止め維持手段によるパネル固定片の撓み変位の規制が解除される。その結果、第１のコネクタハウジングから第２のコネクタハウジングに作用する押圧力によって、第２のコネクタハウジングがコネクタ取付孔から押し出される方向に変位する。このときの変位は、レバーの操作板部に装備した本固定手段がコネクタ取付板のハウジング固定部に係合した状態で止まる。
【００２５】
即ち、コネクタ取付板に対する第２のコネクタハウジングの取り付け位置は、第１のコネクタハウジングの嵌合接続が完了する前と完了した時とで大きく変化する。従って、コネクタハウジング相互の嵌合接続が正常に完了したか否かを外観目視により簡単に判別することができる。
【００２６】
上記（３）の構成によれば、第１のコネクタハウジングと第２のコネクタハウジングとを嵌合接続させるレバーは、同一構造の一対のレバー半体から構成されるため、製造する部品種の増加を抑止して、製造コストの低減を図ることができる。
【発明の効果】
【００２７】
本発明によるレバー式コネクタによれば、グロメットは、第１のコネクタハウジングの外部に露出するレバーの操作板部に取り付けられる。そのため、第１のコネクタハウジング内にグロメットを収容する容積を確保する必要がない。従って、グロメットの装着のためにコネクタハウジングが大型化することがない。
【００２８】
また、本発明によるレバー式コネクタによれば、グロメットは第１のコネクタハウジングの外部に露出するレバーの操作板部に取り付けられるため、グロメットの一部を第１のコネクタハウジング内に嵌合させていた従来の場合と比較すると、グロメットの装着が容易になり、組立性を向上させることができる。
【図面の簡単な説明】
【００２９】
【図１】本発明に係るレバー式コネクタの一実施形態の分解斜視図である。
【図２】図１に示した第２のコネクタハウジングがコネクタ取付板に仮止めされた状態の斜視図である。
【図３】図２に示した第１のコネクタハウジングにグロメットが取り付けられた状態の斜視図である。
【図４】図３に示した第１のコネクタハウジングと第２のコネクタハウジングとの嵌合接続が完了した状態の斜視図である。
【図５】図１に示した第１のコネクタハウジングと第２のコネクタハウジングとが嵌合接続する工程におけるレバーの動作説明図である。
【図６】図１に示した第１のコネクタハウジングと第２のコネクタハウジングとが嵌合接続する工程における仮止め維持手段の動作説明図である。
【図７】図１に示した第１のコネクタハウジングと第２のコネクタハウジングとが嵌合接続する工程におけるグロメットがコネクタ取付板に密着する動作の説明図である。
【図８】従来のレバー式コネクタを構成する第１のコネクタハウジングと第２のコネクタハウジングの縦断面図である。
【発明を実施するための形態】
【００３０】
以下、本発明に係るレバー式コネクタの好適な実施形態について、図面を参照して詳細に説明する。
【００３１】
図１〜図７は本発明に係るレバー式コネクタの一実施形態の説明図で、図１は本発明に係るレバー式コネクタの一実施形態の分解斜視図、図２は図１に示した第２のコネクタハウジングがコネクタ取付板に仮止めされた状態の斜視図、図３は図２に示した第１のコネクタハウジングにグロメットが取り付けられた状態の斜視図、図４は図３に示した第１のコネクタハウジングと第２のコネクタハウジングとの嵌合接続が完了した状態の斜視図、図５は図１に示した第１のコネクタハウジングと第２のコネクタハウジングとが嵌合接続する工程におけるレバーの動作説明図、図６は図１に示した第１のコネクタハウジングと第２のコネクタハウジングとが嵌合接続する工程における仮止め維持手段の動作説明図、図７は図１に示した第１のコネクタハウジングと第２のコネクタハウジングとが嵌合接続する工程におけるグロメットがコネクタ取付板に密着する動作の説明図である。
【００３２】
この一実施形態のレバー式コネクタ１は、例えば車両のパネルとなるコネクタ取付板３の内外の電線の接続に使用されるもので、図１〜図３に示すように、第１のコネクタハウジング１０と、第２のコネクタハウジング２０と、レバー３０と、グロメット４０と、を備える。
【００３３】
第１のコネクタハウジング１０は、コネクタ取付板３の外部側の電線が接続されるコネクタハウジングである。この第１のコネクタハウジング１０は、後述する第２のコネクタハウジング２０内に嵌合する先端部１１の両側に、仮止め維持手段１２を有している。また、この第１のコネクタハウジング１０には、レバー３０を回動可能に支持するレバー支持軸１４が、第１のコネクタハウジング１０の幅寸法の中心を通る対称軸線Ｌ１（図５（ａ）参照）上に設けられている。仮止め維持手段１２やレバー３０については、後述する。
【００３４】
第２のコネクタハウジング２０は、第１のコネクタハウジング１０との嵌合接続をコネクタ取付板３上で待ち受ける待ち受けコネクタである。この第２のコネクタハウジング２０は、第１のコネクタハウジング１０が嵌合接続される先端部２１を有する。また、第２５のコネクタハウジング２０は、図２に示すように、先端部２１がコネクタ取付板３のコネクタ取付孔３ａを挿通した状態で、コネクタ取付板３に取り付けられる。
【００３５】
本実施形態の場合、第２のコネクタハウジング２０は、第１のコネクタハウジング１０と未接続の状態で先端部２１をコネクタ取付孔３ａに挿通させた際に、コネクタ取付板３への仮止めを果たすパネル固定片２２と、位置決めフランジ２３と、を備えている。
【００３６】
パネル固定片２２は、先端部２１の両側に装備される。このパネル固定片２２は、コネクタ取付孔３ａに対する先端部２１の挿入方向に沿って延在する弾性片２２ａの自由端側に係止突起２２ｂを設けた構造である。
【００３７】
位置決めフランジ２３は、先端部２１をコネクタ取付孔３ａに挿通したときに、図６に示すように、コネクタ取付板３の裏面に当接することで、コネクタ取付板３への位置決めを果たす。
【００３８】
パネル固定片２２は、図６に示すように、位置決めフランジ２３と係止突起２２ｂとの間でコネクタ取付孔３ａの周縁部を挟むことで、第２のコネクタハウジング２０をコネクタ取付板３に固定した仮止め状態とする。
【００３９】
第１のコネクタハウジング１０に装備された仮止め維持手段１２は、図１に示すように、第１のコネクタハウジング１０の先端部１１の先端に装備された突起部１２ａと、突起部１２ａの後方に続く逃げ溝部１２ｂと、から構成される。突起部１２ａは、図６（ａ）に示すように、第１のコネクタハウジング１０と第２のコネクタハウジング２０とが嵌合途中にあるときには、パネル固定片２２の裏面に当接して、パネル固定片２２と位置決めフランジ２３との係合が外れる方向へのパネル固定片２２の撓み変位を規制する。また、逃げ溝部１２ｂは、図６（ｂ），（ｃ）に示すように、第１のコネクタハウジング１０と第２のコネクタハウジング２０との嵌合が完了したときに、パネル固定片２２の裏側に位置して、パネル固定片２２と位置決めフランジ２３との係合が外れる方向へのパネル固定片２２の撓み変位を許容する。
【００４０】
即ち、本実施形態における仮止め維持手段１２は、第１のコネクタハウジング１０と第２のコネクタハウジング２０とが嵌合途中では、パネル固定片２２の撓み変位を規制して、第２のコネクタハウジング２０がパネル固定片２２によってコネクタ取付板３に固定された状態を維持する。また、仮止め維持手段１２は、第１のコネクタハウジング１０と第２のコネクタハウジング２０との嵌合が完了した状態では、パネル固定片２２の撓み変位の規制を解除して、コネクタ取付板３に対して、先端部２１がコネクタ取付孔３ａから押し出される方向への第２のコネクタハウジング２０の変位を許容する。
【００４１】
レバー３０は、第１のコネクタハウジング１０のレバー支持軸１４に回動可能に装備されて、回動操作によって第１のコネクタハウジング１０を第２のコネクタハウジング２０に嵌合させる。
【００４２】
本実施形態の場合、レバー３０は、一対のレバー半体３０ａ，３０ｂから構成されている。これらの一対のレバー半体３０ａ，３０ｂは、レバー支持軸１４に回動可能に支持され、互いに逆方向への回動により第１のコネクタハウジング１０を第２のコネクタハウジング２０内に引き込む。本実施形態の場合、一対のレバー半体３０ａ，３０ｂは、いずれも、レバー本体３１と操作板部３２とを備えた構造であり、互いに同一構造である。
【００４３】
各レバー半体３０ａ，３０ｂにおけるレバー本体３１は、図５に示すように、先端に、第２のコネクタハウジング２０内のレバー係合用段差２６に係合する突起部３１ａを有している。それぞれのレバー本体３１は、回動により第１のコネクタハウジング１０を第２のコネクタハウジング２０内に引き込む。
【００４４】
各レバー半体３０ａ，３０ｂにおける操作板部３２は、レバー本体３１の後端から延出した板状の部分であり、レバー本体３１を回動させる際の操作部となる。
【００４５】
本実施形態におけるレバー３０の場合、一対のレバー半体３０ａ，３０ｂの回動操作によってコネクタハウジング相互の嵌合が完了した状態では、図５（ｄ）、（ｅ）に示すように、操作板部３２がコネクタ取付板３と平行で、且つ、第１のコネクタハウジング１０の外周囲に鍔状に張り出した状態で、コネクタ取付板３側に移動する。
【００４６】
各レバー半体３０ａ，３０ｂにおける操作板部３２は、本固定手段３５を備える。
本固定手段３５は、第１のコネクタハウジング１０と第２のコネクタハウジング２０との嵌合が完了した状態で操作板部３２がコネクタ取付板３に押し付けられたときに、図５（ｅ）に示すように、コネクタ取付板３のハウジング固定部３ｂに係合して、第１のコネクタハウジング１０をコネクタ取付板３に固定する。
【００４７】
グロメット４０は、第１のコネクタハウジング１０に装着されて第１のコネクタハウジング１０内部への防水性を確保する。
【００４８】
本実施形態におけるグロメット４０は、合成ゴム等の防水性を備えた弾性材料性で、図３に示すように、操作板部３２に結合される操作板被覆部４１と、操作板被覆部４１に一体形成された管状部４２と、を備える。管状部４２は、第１のコネクタハウジング１０に接続されるケーブルを収容する。
【００４９】
操作板被覆部４１は、図３に示すように、一対の操作板部３２の外表面側に被さる略小判型の被覆部本体４１ａの外周縁の全周に、リップ部４１ｂを形成したものである。
【００５０】
リップ部４１ｂは、図７に示すように、操作板部３２の外周縁に嵌合する溝部４１１と、コネクタ取付板３側に傾斜して延出した凸条部４１２とを有している。
【００５１】
グロメット４０は、操作板被覆部４１におけるリップ部４１ｂの溝部４１１に操作板部３２の外周縁を嵌合させることで、操作板部３２に結合される。
【００５２】
本実施形態のグロメット４０は、レバー３０の回動操作によってコネクタハウジング相互の嵌合が完了した状態では、図７（ｃ）に示すように、操作板部３２のコネクタ取付板３側への移動によってリップ部４１ｂの凸条部４１２が弾性変形した状態でコネクタ取付孔３ａの周縁に密着して、第１のコネクタハウジング１０内部への防水性を確保する。
【００５３】
以上に説明した一実施形態のレバー式コネクタ１では、第１のコネクタハウジング１０内部への防水性を確保するグロメット４０は、第１のコネクタハウジング１０の内部に装着される部分は無く、第１のコネクタハウジング１０の外部に露出するレバーの操作板部３２に取り付けられる。そのため、第１のコネクタハウジング１０内にグロメット４０を収容する容積を確保する必要がない。従って、グロメット４０の装着のためにコネクタハウジングが大型化することがない。
【００５４】
また、以上に説明した一実施形態のレバー式コネクタ１では、グロメット４０は第１のコネクタハウジング１０の外部に露出するレバーの操作板部３２に取り付けられるため、グロメット４０の一部を第１のコネクタハウジング１０内に嵌合させていた従来の場合と比較すると、グロメット４０の装着が容易になり、組立性を向上させることができる。
【００５５】
また、以上に説明した一実施形態のレバー式コネクタ１では、パネル固定片２２によりコネクタ取付板３に仮止めした第２のコネクタハウジング２０に第１のコネクタハウジング１０を嵌合させた場合、嵌合途中では、図６（ａ）に示すように、第１のコネクタハウジング１０の仮止め維持手段１２がパネル固定片２２の撓み変位を規制して、第２のコネクタハウジング２０はパネル固定片２２によってコネクタ取付板３に固定された状態が維持される。そして、第１のコネクタハウジング１０の第２のコネクタハウジング２０への嵌合が完了した状態になると、図６（ｂ），（ｃ）に示すように、仮止め維持手段１２によるパネル固定片２２の撓み変位の規制が解除される。その結果、第１のコネクタハウジング１０から第２のコネクタハウジング２０に作用する押圧力によって、図６（ｃ）に示すように、第２のコネクタハウジング２０がコネクタ取付孔３ａから押し出される方向に変位する。このときの変位は、レバー３０の操作板部３２に装備した本固定手段３５がコネクタ取付板３のハウジング固定部３ｂに係合した状態で止まる。
【００５６】
即ち、コネクタ取付板３に対する第２のコネクタハウジング２０の取り付け位置は、第１のコネクタハウジング１０の嵌合接続が完了する前と完了した時とで大きく変化する。従って、コネクタハウジング相互の嵌合接続が正常に完了したか否かを外観目視により簡単に判別することができる。
【００５７】
また、以上に説明した一実施形態のレバー式コネクタ１では、第１のコネクタハウジング１０と第２のコネクタハウジング２０とを嵌合接続させるレバー３０は、同一構造の一対のレバー半体３０ａ，３０ｂから構成されるため、製造する部品種の増加を抑止して、製造コストの低減を図ることができる。
【００５８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
例えば、第２のコネクタハウジングの取付箇所は、車両等におけるパネルに限るものではなく、各種の電子・電気機器用のケースの壁面等であっても良い。
【符号の説明】
【００６０】
１  レバー式コネクタ
３  コネクタ取付板
３ａ  コネクタ取付孔
３ｂ  ハウジング固定部
１０  第１のコネクタハウジング
１２  仮止め維持手段
１４  レバー支持軸
２０  第２のコネクタハウジング
２１  先端部
２２  パネル固定片
２３  位置決めフランジ
３０  レバー
３０ａ，３０ｂ  レバー半体
３１  レバー本体
３２  操作板部
３５  本固定手段
４０  グロメット
４１  操作板被覆部
４１ａ  被覆部本体
４１ｂ  リップ部
４２  管状部
４１１  溝部
【図１】
0005653246.tif 000002
【図２】
0005653246.tif 000003
【図３】
0005653246.tif 000004
【図４】
0005653246.tif 000005
【図５】
0005653246.tif 000006
【図６】
0005653246.tif 000007
【図７】
0005653246.tif 000008
【図８】
0005653246.tif 000009